(57)【特許請求の範囲】
【請求項１】
利用者ＩＤを有する利用者が創作したオリジナル楽曲のデータをアップロード可能とさせるサーバと複数のカラオケ端末とがネットワークにより通信自在に接続されたカラオケシステムであって、
前記サーバは、
複数の利用者の少なくとも歌唱履歴をそれぞれの利用者ＩＤに紐付けて記憶する利用者情報データベースと、
前記アップロードされたオリジナル楽曲のデータに楽曲ＩＤを付与してアップロードした利用者の利用者ＩＤに紐付けて記憶するオリジナル楽曲記憶手段と、
オリジナル楽曲のデータをアップロードした一の利用者の前記歌唱履歴の所定の要素に基づき他の利用者の歌唱履歴を照合して該当する所定数の他の利用者を推奨対象利用者として選出し、当該オリジナル楽曲の楽曲ＩＤと当該推奨対象利用者の利用者ＩＤとを対応付けるオリジナル楽曲対応付手段と、
一のカラオケ端末より取得した利用者ＩＤに基づいて前記オリジナル楽曲対応付手段で対応付けられたオリジナル楽曲の楽曲ＩＤを抽出するオリジナル楽曲抽出手段と、
前記オリジナル楽曲記憶手段に記憶されている楽曲ＩＤが付与されたオリジナル楽曲のデータを総てのカラオケ端末に配信し、前記オリジナル楽曲抽出手段でオリジナル楽曲が抽出された場合に、少なくとも当該オリジナル楽曲の楽曲ＩＤを対応のカラオケ端末に配信するデータ配信手段と、
を有し、
前記カラオケ端末は、少なくとも、
前記サーバのオリジナル楽曲記憶手段に記憶されているオリジナル楽曲のデータと同じオリジナル楽曲のデータを記憶する端末側オリジナル楽曲記憶手段と、
ログインした利用者の利用者ＩＤに基づいて前記サーバよりオリジナル楽曲の楽曲ＩＤを含む情報を取得する利用者関連情報取得手段と、
ログインした所定数の利用者について前記取得した情報に推奨すべきオリジナル楽曲の楽曲ＩＤが含まれている場合に、当該推奨対象利用者の何れかがログインしている間に、当該推奨対象利用者に対応するオリジナル楽曲に関わる情報を前記端末側オリジナル楽曲記憶手段より読み出して推奨楽曲の情報として少なくとも報知して提示する推奨楽曲提示手段と、
を有することを特徴とするカラオケシステム。
【請求項２】
請求項１記載のカラオケシステムであって、
前記カラオケ端末の推奨楽曲提示手段は、前記提示したオリジナル楽曲を推奨対象利用者に試聴させるための試聴手段を備えることを特徴とするカラオケシステム。
【請求項３】
請求項１又は２記載のカラオケシステムであって、
前記サーバの楽曲対応付手段は、前記要素の一として、一の利用者の歌唱履歴に記録された歌唱度数に基づいて推奨対象利用者を対応付けることを特徴とするカラオケシステム。
【発明の詳細な説明】
【技術分野】
【０００１】
本発明は、カラオケ利用者に歌唱推奨曲を提示する機能を備えるカラオケシステムに関する。
【背景技術】
【０００２】
一般に、カラオケボックスで利用者が歌唱できるのは、市販ＣＤに収録されている楽曲やインターネットで配信されている楽曲など、レーベルのメジャー、マイナーの違いこそあれ、ほぼ総てがプロの作詞家、作曲家、編曲家により創作、公開された楽曲であるが、近年では、プロの作家や歌手ではないアマチュアアーティストや一般の人（以下、「一般人創作者」と称する）が創作、歌唱した楽曲（以下、「オリジナル楽曲」と称する）についても、その録音物を専用サイトにアップロードすることにより、カラオケボックスなどで誰でも歌唱できるようになるというサービスが普及しつつある。オリジナル楽曲の歌唱は創作者に限らず、他の利用者による歌唱が望まれ、そのために他の利用者に対して好適に推奨する必要がある。
【０００３】
従来、オリジナル楽曲を専用サイトにアップロードする技術として、特許文献１に記載されているように一般人創作者が創作した楽曲を本人の個人端末から配信サーバにアップロードさせ、アップロードされた楽曲を配信サーバからカラオケボックスに設置された各カラオケ端末に配信する通信カラオケシステムが知られている。
【０００４】
一方、カラオケボックスの利用者、特に歌唱のために予約する楽曲（リクエスト楽曲）の選択に迷っている利用者に対してお奨めの歌唱楽曲を提示する、いわゆる楽曲リコメンドというサービスがあり、そのための技術が数多く開示されている。ここで、最も基本的な楽曲リコメンドは、利用者が歌唱した楽曲と同じ原曲歌手が歌唱している他の楽曲や、同じジャンルの楽曲を提示するというものである。
【０００５】
また、インターネットの商品販売サイトでよく見られる「本品を購入した人は、他にこんな商品の購入を検討しています」という商品リコメンドの様に、通信カラオケシステムの全利用者の歌唱履歴をデータベース化し、楽曲リコメンドに利用することもできる。例えば、特許文献２に記載されているように、所定の利用者に嗜好がよく似た別の利用者を抽出し、その歌唱履歴を参照することにより、適切なリクエスト楽曲を所定の利用者に効率的に推奨できる通信カラオケシステムが知られている。
【先行技術文献】
【特許文献】
【０００６】
【特許文献１】特開２０１５−０３８５９１号公報
【特許文献２】特開２００６−３３７４０５号公報
【発明の概要】
【発明が解決しようとする課題】
【０００７】
ところで、一般人創作者である投稿者によりアップロードされたオリジナル楽曲は、誰でもカラオケボックスで歌唱できるものの、通常はマスメディアで宣伝されることがないため投稿者本人及びその知人程度にしか知られないという現状であり、より多くの人にカラオケ歌唱してもらいたいと投稿者が考えるのは自然なことである。
【０００８】
しかしながら、通信カラオケシステムの歌唱履歴データベースに基づいた楽曲リコメンド技術を用いて、当該オリジナル楽曲を他のカラオケ利用者に推奨し、リクエスト楽曲として選択してもらうことが考えられるが、特許文献２に開示されているような従来技術においては、広く認知されて相当数の利用者の歌唱履歴に残るような楽曲でなければ楽曲リコメンドの対象とはなり得ず、元々認知度が極めて低いオリジナル楽曲を歌唱履歴データベースの利用により推奨することは困難であるという問題があると共に、無作為にオリジナル楽曲を推奨しても、推奨された利用者の嗜好に合わなければリクエスト楽曲として選択される可能性が極めて低くなるという問題がある。
【０００９】
そこで、本発明は上記課題に鑑みなされたもので、一般人創作者のオリジナル楽曲を他の利用者に好適に提示して認知度を効率良く高めるカラオケシステムを提供することを目的とする。
【課題を解決するための手段】
【００１０】
上記課題を解決するために、請求項１の発明では、利用者ＩＤを有する利用者が創作したオリジナル楽曲のデータをアップロード可能とさせるサーバと複数のカラオケ端末とがネットワークにより通信自在に接続されたカラオケシステムであって、前記サーバは、複数の利用者の少なくとも歌唱履歴をそれぞれの利用者ＩＤに紐付けて記憶する利用者情報データベースと、前記アップロードされたオリジナル楽曲のデータに楽曲ＩＤを付与して、アップロードした利用者の利用者ＩＤに紐付けて記憶するオリジナル楽曲記憶手段と、オリジナル楽曲のデータをアップロードした一の利用者の前記歌唱履歴の所定の要素に基づき他の利用者の歌唱履歴を照合して該当する所定数の他の利用者を推奨対象利用者として選出し、当該オリジナル楽曲の楽曲ＩＤと当該推奨対象利用者の利用者ＩＤとを対応付けるオリジナル楽曲対応付手段と、一のカラオケ端末より取得した利用者ＩＤに基づいて前記オリジナル楽曲対応付手段で対応付けられたオリジナル楽曲の楽曲ＩＤを抽出するオリジナル楽曲抽出手段と、前記オリジナル楽曲記憶手段に記憶されている楽曲ＩＤが付与されたオリジナル楽曲のデータを総てのカラオケ端末に配信し、前記オリジナル楽曲抽出手段でオリジナル楽曲が抽出された場合に、少なくとも当該オリジナル楽曲の楽曲ＩＤを対応のカラオケ端末に配信するデータ配信手段と、を有し、前記カラオケ端末は、少なくとも、前記サーバのオリジナル楽曲記憶手段に記憶されているオリジナル楽曲のデータと同じオリジナル楽曲のデータを記憶する端末側オリジナル楽曲記憶手段と、ログインした利用者の利用者ＩＤに基づいて前記サーバよりオリジナル楽曲の楽曲ＩＤを含む情報を取得する利用者関連情報取得手段と、ログインした所定数の利用者について前記取得した情報に推奨すべきオリジナル楽曲の楽曲ＩＤが含まれている場合に、当該推奨対象利用者の何れかがログインしている間に、当該推奨対象利用者に対応するオリジナル楽曲に関わる情報を前記端末側オリジナル楽曲記憶手段より読み出して推奨楽曲の情報として少なくとも報知して提示する推奨楽曲提示手段と、を有する構成とする。
【００１１】
請求項２，３の発明では、「前記カラオケ端末の推奨楽曲提示手段は、前記提示したオリジナル楽曲を推奨対象利用者に試聴させるための試聴手段を備える」構成とし、
「前記サーバの楽曲対応付手段は、前記要素の一として、一の利用者の歌唱履歴に記録された歌唱度数に基づいて推奨対象利用者を対応付ける」構成とする。
【発明の効果】
【００１２】
請求項１，３の発明によれば、サーバにおいて、利用者の少なくとも歌唱履歴を利用者ＩＤに紐付けて記憶すると共に、アップロードされたオリジナル楽曲のデータに楽曲ＩＤを付与してアップロードした利用者の利用者ＩＤに紐付けて記憶し、上記オリジナル楽曲をアップロードした利用者の歌唱履歴の例えば歌唱度数の要素で他の利用者の歌唱履歴を照合して推奨対象利用者として選出し、利用者ＩＤと当該オリジナル楽曲の楽曲ＩＤとを対応付け、カラオケ端末より取得した利用者ＩＤに対応付けられたオリジナル楽曲の楽曲ＩＤを抽出して配信させるものであり、カラオケ端末において、サーバのオリジナル楽曲記憶手段に記憶されているオリジナル楽曲のデータと同じオリジナル楽曲のデータが記憶され、ログインした利用者の利用者ＩＤに基づいてサーバよりオリジナル楽曲の楽曲ＩＤを含む情報を取得し、推奨対象利用者とされた利用者の何れかがログインしている間に、対応するオリジナル楽曲に関わる情報を推奨楽曲の情報として提示する構成とすることにより、一般人創作者のオリジナル楽曲を他の利用者に好適に提示することが可能となり、認知度を効率良く高めることができるものである。
【００１３】
請求項２の発明によれば、推奨楽曲提示手段は、試聴手段を備えて提示したオリジナル楽曲を推奨対象利用者に試聴させる構成とすることにより、オリジナル楽曲の歌唱をより促すことができるものである。
【図面の簡単な説明】
【００１４】
【図１】本発明に係るカラオケシステムの通信形態の構成図である。
【図２】図１のサーバの構成図である。
【図３】図１のカラオケ端末のブロック構成図である。
【図４】図１のサーバへのオリジナル楽曲アップロードに関するフローチャートである。
【図５】図１のサーバにおける楽曲アップロードに対する処理フローチャートである。
【図６】図１のサーバ及びカラオケ端末による推奨楽曲に対するフローチャートである。
【図７】図６におけるカラオケ端末での推奨楽曲提示の説明図である。
【発明を実施するための形態】
【００１５】
以下、本発明の実施形態を図により説明する。
図１に本発明に係るカラオケシステムの通信形態の構成図を示すと共に、図２に図１のサーバの構成図を示す。図１において、サーバ１１はインターネットなどのネットワーク１２に接続され、当該ネットワーク１２に所定数のカラオケ端末１３（１３Ａ〜１３Ｎ）及び所定数のパーソナル端末１４（１４Ａ〜１４Ｎ）が当該サーバ１１にデータ授受自在に接続されたものである。サーバ１１及びカラオケ端末１３（１３Ａ〜１３Ｎ）によりカラオケシステムを構成する。パーソナル端末１４（１４Ａ〜１４Ｎ）は、当該カラオケシステムに対して利用者ＩＤを有する利用者が創作したオリジナル楽曲のデータをサーバ１１にアップロード可能とさせるための端末となる。
【００１６】
サーバ１１は、図２（Ａ）に示すように、利用者がアップロードしたオリジナル楽曲を含む任意の楽曲をカラオケ端末にダウンロード可能に公開する機能を備えるものであり、基本構成として少なくとも制御部２１、ネットワーク送受信部２２、利用者ＩＤ取得手段２３、アップロード処理手段２４、オリジナル楽曲対応付手段２５、オリジナル楽曲抽出手段２６、データ配信手段２７、データベース更新手段２８、利用者情報データベース（利用者情報ＤＢ）２９、オリジナル楽曲記憶手段であるアップロードオリジナル楽曲データベース（アップロードオリジナル楽曲ＤＢ）３０及びオリジナル楽曲対応付リスト記憶部３１を備える。
【００１７】
上記制御部２１は、当該サーバ１１を統括的に制御する物理的なＣＰＵであり、図示しないＲＯＭに格納されているプログラムを実行処理して統括的な処理を行う。上記ネットワーク送受信部２２は、各カラオケ端末１３（１３Ａ〜１３Ｎ）及び各パーソナル端末１４（１４Ａ〜１４Ｎ）との通信（データ授受）を行うために、ネットワーク１２の通信方式と整合性をとるための例えば物理的な通信用回路やプラットフォーム等のソフトウエアにより構成される。
【００１８】
上記利用者ＩＤ取得手段２３は、一のカラオケ端末１３からのオリジナル楽曲の情報や利用者情報の要求の際に提示される利用者ＩＤを取得するプログラムである。上記アップロード処理手段２４は、利用者からのカラオケデータ（後述する）のアップロードの要求に対して、楽曲ＩＤを付与し、当該カラオケデータに含まれる利用者ＩＤに紐付してアップロードオリジナル楽曲ＤＢ３０に記憶するプログラムである。
【００１９】
上記オリジナル楽曲対応付手段２５は、利用者情報ＤＢ２９を参照して、オリジナル楽曲のデータ（カラオケデータ）をアップロードした一の利用者の歌唱履歴の所定の要素に基づき、他の利用者の歌唱履歴を照合して該当する所定数の他の利用者を推奨対象利用者として選出し、当該オリジナル楽曲と当該推奨対象利用者の利用者ＩＤとを対応付けるプログラムである。
【００２０】
上記所定の要素とは、この実施形態においては、前述の特許文献２に記載されている技術を適用するものとして嗜好（所定の楽曲に対する歌唱回数としての歌唱度数）を要素として説明する。なお、他の要素として、月間歌唱回数を要素とし、アップロードした利用者がカラオケボックスの利用者としてその頻度に基づくものとしてもよい。
【００２１】
また、上記対応付けを、この実施形態においては、アップロードされたオリジナル楽曲のカラオケデータの楽曲ＩＤに当該楽曲の推奨対象利用者の利用者ＩＤを対応付けたオリジナル楽曲対応付リストを作成し、これを全オリジナル楽曲について作成してオリジナル楽曲対応付リスト記憶部３１に記憶させるものとして説明する。なお、上記対応付として、利用者情報ＤＢ２９に利用者の属性情報として、推奨すべきオリジナル楽曲の楽曲ＩＤの情報を備えることとしてもよい。
【００２２】
ここで、オリジナル楽曲対応付手段２５における処理タイミングは、この実施形態においては、オリジナル楽曲がアップロードされたことを契機として行うものとする。なお、週に一度の定時、月に一度の定時など、所定日所定時刻にまとめて処理することとしてもよく、また、アップロードされたオリジナル楽曲が所定数に達したときにまとめて処理することとしてもよい。さらに、時間経過と共に利用者毎の歌唱履歴も変化していくことを考慮して、各オリジナル楽曲に関する推奨対象利用者の選出は一度限りではなく、定期的に更新を重ねてもよい。
【００２３】
上記オリジナル楽曲抽出手段２６は、一のカラオケ端末より取得した利用者ＩＤに基づいてオリジナル楽曲対応付手段２５で対応付けられたオリジナル楽曲の楽曲ＩＤを抽出するプログラムである。この実施形態においては、上記抽出はオリジナル楽曲対応リスト記憶部３１に記憶されているリストが参照される。なお、上記対応付けが利用者情報の属性情報として備えられている場合には、利用者情報ＤＢ２９が参照される。
【００２４】
ここで、オリジナル楽曲抽出手段２６の処理は、この実施形態においては、利用者が一のカラオケ端末１３にログインし、当該ログインした利用者の利用者ＩＤがサーバ１１に送出されてきたときに、オリジナル楽曲対応付リスト記憶部３１に記憶されている全オリジナル楽曲の楽曲ＩＤのリストそれぞれについて、当該ログイン利用者の利用者ＩＤの有無を検出することにより行われる。なお、上記対応付けが利用者情報の属性情報として備えられている場合には、利用者が一のカラオケ端末１３にログインし、当該ログインした利用者の利用者ＩＤがサーバ１１に送出されてきたときに、利用者情報ＤＢ２９おける当該利用者の属性情報について、推奨すべきオリジナル楽曲の楽曲ＩＤの有無を検出することにより行われる。
【００２５】
上記データ配信手段２７は、アップロードオリジナル楽曲ＤＢ３０に記憶されている楽曲ＩＤが付与されたオリジナル楽曲のデータを総てのカラオケ端末に、例えば定期的に配信し、一方で、オリジナル楽曲抽出手段２６でオリジナル楽曲が抽出された場合に、当該オリジナル楽曲の楽曲ＩＤを当該利用者ＩＤに紐付けて対応のカラオケ端末１３に配信するプログラムであり、当該オリジナル楽曲の楽曲ＩＤの他に利用者情報ＤＢ２９に記憶されている書誌的な情報を対応のカラオケ端末１３に配信する。
【００２６】
上記データベース更新手段２８は、利用者情報ＤＢ２９、アップロードオリジナル楽曲ＤＢ３０及びオリジナル楽曲対応付リスト記憶部３１に対し、データの新規作成、更新の処理を行うプログラムである。
【００２７】
上記利用者情報ＤＢ２９は、図２（Ｂ）に一例を示すように、利用者ＩＤに紐付けて図示しない利用者名などの書誌的事項や歌唱履歴などを記憶する。歌唱履歴は、例えば平均月間歌唱回数、歌唱された楽曲の楽曲ＩＤ、当該楽曲のジャンル、アーチスト、当該楽曲に対する歌唱回数（歌唱度数）などである。
【００２８】
上記アップロードオリジナル楽曲ＤＢ３０は、アップロードされたオリジナル楽曲のデータ（カラオケデータ）を、アップロードした利用者の利用者ＩＤと紐付けて記憶するデータベースであり、具体的には、当該オリジナル楽曲の付与した楽曲ＩＤ、楽曲情報（例えば曲名）、録音したカラオケ伴奏及び歌唱の各オーディオデータ、自身のサムネイル画像、歌詞データが利用者ＩＤに紐付けられて記憶される。
【００２９】
上記オリジナル楽曲対応付リスト記憶部３１に記憶されるリストは、図２（Ｃ）に一例を示すように、オリジナル楽曲に付与された楽曲ＩＤに、上記オリジナル楽曲対応付手段２５で対応付けられた所定数の推奨対象利用者の利用者ＩＤが関連付けられたものである。
【００３０】
続いて、図３に、図１のカラオケ端末のブロック構成図を示す。図３において、カラオケ端末１３は、主要装置としてのカラオケ本体４１に、有線又は無線で外部接続されるものとして、表示部４２、ミキシングアンプ４３、マイク４４、スピーカ４５、遠隔入出力装置４６が接続される。
【００３１】
上記表示部４２は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ４３は、カラオケ本体４１より送られてくる音楽演奏信号に、マイク４４からの音声信号をミキシングし、増幅してスピーカ４５より出力する。
【００３２】
上記遠隔入出力装置４６は、図示しない端末送受信部により、カラオケ本体４１に対して有線方式ないし無線方式（ＩＲ方式やブルートゥース（登録商標）機構のピコネット接続方式など）を利用してデータ授受を行うためのもので、少なくともログイン・ログアウト処理手段４６Ａ、楽曲検索手段としての選曲楽曲登録手段４６Ｂ及びリモコン表示部４６Ｃを適宜備える。
【００３３】
上記ログイン・ログアウト処理手段４６Ａは、一又は複数の利用者によるログイン操作に応じて当該利用者より利用者ＩＤを取得してログインを許可する処理を行うと共に、ログアウト操作に応じて利用終了の処理を行い、ログイン処理で取得した利用者ＩＤを後述のカラオケ本体４１の利用者ＩＤ送信手段（６１）に送出するプログラムである。
【００３４】
上記選曲楽曲登録手段４６Ｂは、楽曲を検索させ、選曲させるテーブルを備えて選曲された楽曲をカラオケ本体４１におけるＲＡＭ（５３）の予約待ち行列（７１）に登録するプログラムである。上記リモコン表示部４６Ｃは、ログイン・ログアウト時の操作画面、楽曲選曲の操作画面等を表示するもので、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００３５】
上記カラオケ本体４１は、バス５０、中央制御部５１、ＲＯＭ５２、ＲＡＭ５３、映像表示制御手段５４、再生手段５５、送受信部５６Ａ，５６Ｂ、記憶部５７、利用者ＩＤ送信手段６１、利用者関連情報取得手段６２及び推奨楽曲提示手段６３を備える。上記ＲＡＭ５３には予約待ち行列７１、利用者情報７２及び推奨楽曲情報７３の記憶領域が形成される。また、記憶部５７には、楽曲データベース（楽曲ＤＢ８１）、映像データベース（映像ＤＢ）８２及び端末側オリジナル楽曲記憶手段である端末側オリジナル楽曲データベース（端末側オリジナル楽曲ＤＢ）８３が記憶される。なお、上記各構成について、本発明の要旨と直接関連しない要素部分であっても、従前のカラオケ端末においても大部分が適用可能であることを示すために、構成要素の全体を説明する。
【００３６】
上記中央制御部５１は、このシステムを統括的に処理制御する物理的なＣＰＵであり、ＲＯＭ５２に記憶されているプログラムに基づくアルゴリズム処理を行う。上記ＲＡＭ５３は、予約待ち行列７１、利用者情報７２及び推奨楽曲情報７３の記憶領域が形成される他に、上記種々のプログラムを展開、実行させるための作業領域としての役割をなすもので、例えば半導体メモリで構成され、仮想的にハードディスク上に構築される場合をも含む概念である。利用者情報７２には利用者ＩＤに紐付けられた当該利用者の氏名等の書誌的事項が記憶され、推奨楽曲情報７３にはサーバ１１より送られてきた推奨対象利用者とされた利用者の利用者ＩＤにオリジナル楽曲の楽曲ＩＤが紐付けされて記憶される。
【００３７】
上記映像表示制御手段５４は、演奏時に、映像ＤＢ８２より抽出された背景映像及び楽曲ＤＢ８１より抽出された楽曲の歌詞データを表示部４２に出力すると共に、例えば曲間で推奨楽曲提示手段６３からの推奨楽曲の情報を表示部４２に出力するプログラム乃至電子回路である。上記再生手段５５は、カラオケ演奏データを再生して演奏音響信号を生成するプログラムである。例えば、シーケンスプログラムを備え、楽曲ＩＤで楽曲ＤＢ８１より抽出された音符データに従って音源（シンセサイザ）を駆動し、また、オリジナル楽曲のオーディオデータの一部又は全部を再生してミキシングアンプ４３に出力する。
【００３８】
上記送受信部５６Ａは、遠隔入出力装置４６との間で有線方式ないし無線方式（ＩＲ方式やブルートゥース（登録商標）機構のピコネット接続方式など）を利用してデータ授受を行うためのもので、そのための電子回路及びプログラムである。上記送受信部５６Ｂは、カラオケ本体４１とサーバ１１とがネットワーク１２を介してデータ授受を行うための物理的な通信用回路やプラットフォーム等のソフトウエアにより構成されるものである。
【００３９】
上記記憶部５７に記憶されている楽曲ＤＢ８１は、楽曲毎に、音符データ、歌詞データなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部５７に記憶されている映像ＤＢ８２は、楽曲毎に応じた背景映像データについて楽曲ＩＤをファイル名としてそれぞれ格納したデータベースである。上記記憶部５７に記憶されている端末側オリジナル楽曲ＤＢ８３は、サーバ１１のアップロードオリジナル楽曲ＤＢ３０に記憶されているオリジナル楽曲のデータと同じオリジナル楽曲のデータを記憶するデータベースである。
【００４０】
上記利用者ＩＤ送信手段６１は、遠隔入出力装置４６のログイン・ログアウト処理手段４６Ａにおけるログイン処理で取得した利用者の利用者ＩＤをサーバ１１に送信して当該利用者の書誌的事項の情報やアップロードされたオリジナル楽曲中の推奨楽曲に関するデータを要求するプログラムである。
【００４１】
上記利用者関連情報取得手段６２は、上記要求した利用者に関する情報をサーバ１１より取得し、利用者ＩＤに紐付けして、書誌的事項はＲＡＭ５３の利用者情報７２に記憶し、推奨されるオリジナル楽曲の楽曲ＩＤは推奨楽曲情報７３に記憶するプログラムである。
【００４２】
上記推奨楽曲提示手段６３は、ログインした所定数の利用者について上記利用者関連情報取得手段６２で取得した各情報に推奨すべきオリジナル楽曲の楽曲ＩＤが含まれている場合に、当該推奨対象利用者の何れかがログインしている間に、例えば曲間で当該推奨対象利用者に対応するオリジナル楽曲に関わる情報を当該楽曲ＩＤから端末側オリジナル楽曲ＤＢ８３より読み出して推奨楽曲の情報として報知して提示し、適宜提示したオリジナル楽曲のデータを推奨対象利用者に試聴させるための試聴手段を備えるプログラムである。
【００４３】
上記報知は、映像表示制御手段５４に出力して表示部４２で表示させ、また、遠隔入出力装置４６に出力してリモコン表示部４６Ｃで表示させる。なお、表示部４２、リモコン表示部４６Ｃの何れか一方で表示させることとしてもよい。当該表示上でログインしている利用者が再生を選択すると、当該選択された推奨楽曲（オリジナル楽曲）のオーディオデータが端末側オリジナル楽曲ＤＢ８３より読み出されて再生手段５５で再生させてスピーカ４５より放音させるものである。
【００４４】
また、上記表示上には試聴のための選択ボタンが設けられ、当該選択ボタンがクリックされると、試聴手段により、推奨楽曲（オリジナル楽曲）のデータの一部又は全部を再生手段５５で再生させてスピーカ４５より放音させるものである。
【００４５】
そこで、図４に図１のサーバへのオリジナル楽曲アップロードに関するフローチャートを示すと共に、図５に図１のサーバにおける楽曲アップロードに対する処理フローチャートを示す。図４において、まず、一般人創作者（Ｘとする）により作詞作曲されたオリジナル楽曲（楽曲Ａとする）を完成させる（ステップ１（Ｓ１））。当該作詞作曲された楽曲Ａのカラオケ伴奏をＸが例えばギターで演奏し、オーディオデータ（伴奏オーディオデータ）として録音し（Ｓ２）、続いて録音したカラオケ伴奏を再生しながらＸが楽曲Ａを歌唱し、カラオケ伴奏とは別のオーディオデータ（歌唱オーディオデータ）を録音する（Ｓ３）。この歌唱オーディオデータは、通常のカラオケ歌唱の際には再生されないが、推奨対象利用者に試聴させる場合には伴奏オーディオデータと共に再生される。
【００４６】
そこで、Ｘ所有のパーソナル端末１４上で、カラオケ事業者が無償提供している公知の配信ツールを用いて、楽曲Ａの情報、録音した楽曲Ａの伴奏オーディオデータ、歌唱オーディオデータ、自身のサムネイル画像、楽曲Ａの歌詞データなどを編集して、楽曲Ａのカラオケデータを制作する（Ｓ４）。そして、制作した楽曲ＡのカラオケデータをＸの利用者ＩＤに紐付けてサーバ１１にアップロードする（Ｓ５）。
【００４７】
サーバ１１では、図５において、アップロード処理手段２４が、アップロードされたカラオケデータに対し、楽曲Ａに楽曲ＩＤを付与し、Ｘの利用者ＩＤに紐付けてアップロードオリジナル楽曲ＤＢ３０に記憶する（Ｓ１１）。例えば、記憶された段階で、オリジナル楽曲対応付手段２５が、当該Ｘの利用者ＩＤに基づいて、利用者情報ＤＢ２９より歌唱履歴を取得し（Ｓ１２）、当該利用者情報ＤＢ２９内で、取得したＸの歌唱履歴における楽曲毎の歌唱度数に基づいて、利用者情報ＤＢ２９における他の利用者の歌唱履歴における楽曲毎の歌唱度数を参照し、上述のように歌唱された楽曲の嗜好がＸに近似した他の利用者を当該オリジナル楽曲Ａの推奨対象利用者として抽出する（Ｓ１３）。例えば、近似度の高い順に所定数の利用者を抽出する。
【００４８】
なお、月間歌唱回数（利用頻度）を対応付けの要素とした場合には、例えば、アップロードした利用者の月間歌唱回数が１００回未満であれば近似度の高い上位１００人を所定数とし、月間歌唱回数が１００回以上であれば近似度の高い上位５００人を所定数として、推奨対象利用者を抽出することができる。
【００４９】
そして、抽出された推奨対象利用者の利用者ＩＤと当該楽曲Ａの楽曲ＩＤとを対応付けた図２（Ｃ）に示すようなリストを作成してオリジナル楽曲対応付リスト記憶部３１に記憶する（Ｓ１４）。このような対応付け処理は、オリジナル楽曲がアップロードされる度に行われ、アップロードされた総てのオリジナル楽曲について行われるものである。一方、アップロードオリジナル楽曲ＤＢ３０に記憶されている総てのオリジナル楽曲のデータは、例えば定期的（一のオリジナル楽曲がアップロードされた時毎であってもよい）にデータ配信手段２７より総てのカラオケ端末１３に配信され、各カラオケ端末１３では記憶部５７の端末側オリジナル楽曲ＤＢ８３に記憶される。
【００５０】
続いて、図６に図１のサーバ及びカラオケ端末による推奨楽曲に対するフローチャートを示すと共に、図７に図６におけるカラオケ端末での推奨楽曲提示の説明図を示す。図６において、カラオケ端末１３で一の利用者が遠隔入出力装置４６のログイン・ログアウト処理手段４６Ａよりログインすると（Ｓ２１）、利用者ＩＤ送信手段６１が利用者ＩＤを取得し（Ｓ２２）、サーバ１１に対して利用者ＩＤに基づく利用者情報、アップロードされている推奨楽曲を要求する(Ｓ２３)。
【００５１】
サーバ１１では、利用者ＩＤ取得手段２３が利用者ＩＤを取得し（Ｓ２４）、オリジナル楽曲抽出手段２６が、利用者情報ＤＢ２９より当該利用者ＩＤに対応する書誌的利用者情報を抽出すると共に(Ｓ２５)、図２（Ｃ）に示すオリジナル楽曲対応付リスト記憶部３１のリストを参照して当該利用者ＩＤを対象とする楽曲ＩＤを抽出する(Ｓ２６)。当該楽曲ＩＤが抽出されれば当該利用者ＩＤの利用者が推奨対象利用者となる。そして、データ配信手段２７が、抽出した利用者情報及びオリジナル楽曲の楽曲ＩＤを利用者ＩＤに紐付けし、対応のカラオケ端末１３に送信する(Ｓ２７)。
【００５２】
カラオケ端末１３では、利用者関連情報取得手段６２が利用者情報及びオリジナル楽曲の楽曲ＩＤを取得し、取得した利用者情報を当該利用者ＩＤに紐付けてＲＡＭ５３の利用者情報７２に記憶すると共に、取得したオリジナル楽曲の楽曲ＩＤを当該利用者ＩＤに紐付けて推奨対象利用者としてＲＡＭ５３の推奨楽曲情報７３に記憶する(Ｓ２８)。
【００５３】
推奨楽曲提示手段６３は、推奨対象利用者がログインしていることを条件として、当該カラオケ端末１３のカラオケ歌唱状態をウオッチして、曲間となったときに、ＲＡＭ５３の推奨楽曲情報７３に記憶した対応のオリジナル楽曲（カラオケデータ）に関わる情報（曲名、作詞作曲者名、サムネイル画像など）を端末側オリジナル楽曲ＤＢ８３より読み出して表示する(Ｓ２９)。例えば、図７（Ａ）に示すように、表示部４２（遠隔入出力装置４６のリモコン表示部４６Ｃでもよい）に、各オリジナル楽曲のサムネイル画像を表示する。各オリジナル楽曲の表示は選択ボタンになっており、一を選択すると、図７（Ｂ）に示すように、曲名などの表示に「再生」、「試聴」の選択ボタンが表示される。
【００５４】
そこで、例えば「試聴」が選択されると（Ｓ３０）、推奨楽曲提示手段６３が、要求された楽曲ＩＤの楽曲データ（伴奏オーディオデータ及び歌唱オーディオデータ）を端末側オリジナル楽曲ＤＢ８３より読み出し、一部の区間又は全区間のデータを再生手段５５に送出してスピーカ４５より放音させる(Ｓ３１)。一方、「再生」が選択されると推奨楽曲提示手段６３が、要求された楽曲ＩＤの楽曲データ（伴奏オーディオデータ）を端末側オリジナル楽曲ＤＢ８３より読み出し、全区間のデータを再生手段５５に送出してスピーカ４５より放音させるものである。
【００５５】
このように、一般人創作者のオリジナル楽曲を他の利用者に好適に提示することが可能となり、認知度を効率良く高めることができるものである。すなわち、オリジナル楽曲の投稿者の歌唱者としての嗜好とよく似た嗜好の他のカラオケ利用者であれば投稿者の創作した楽曲を気に入る可能性が高く、一般人創作者のオリジナル楽曲の認知度を効率良く高めることができ、その結果、投稿者が自作したオリジナル楽曲を他のカラオケ利用者に歌唱してもらう機会を増やすこととなって投稿者の願望を叶えることができる。また、利用者として他の楽曲をよくカラオケ歌唱している投稿者は、自分がアップロードしたオリジナル楽曲がより多くの利用者に紹介されることになり、投稿者を満足させると同時にカラオケ利用を促進させることができるものである。また、推奨楽曲提示手段６３が試聴手段を備えて提示したオリジナル楽曲のデータを推奨対象利用者に試聴可能とさせることにより、オリジナル楽曲の歌唱をより促すことができるものである。
【産業上の利用可能性】
【００５６】
本発明のカラオケシステムは、カラオケの基本的機能を備えた装置の製造、使用、販売等の産業に利用可能である。
【符号の説明】
【００５７】
１１        サーバ
１２        ネットワーク
１３        カラオケ端末
１４        パーソナル端末
２３        利用者ＩＤ取得手段
２４        アップロード処理手段
２５        オリジナル楽曲対応付手段
２６        オリジナル楽曲抽出手段
２７        データ配信手段
２８        データベース更新手段
２９        利用者情報データベース（利用者情報ＤＢ）
３０        アップロードオリジナル楽曲データベース（アップロードオリジナル楽曲ＤＢ）
３１        オリジナル楽曲対応付リスト記憶部
４１        カラオケ本体
４２        表示部
４６        遠隔入出力装置
５４        映像表示制御手段
５５        再生手段
５７        記憶部
６１        利用者ＩＤ送信手段
６２        利用者関連情報取得手段
６３        推奨楽曲提示手段
７２        利用者情報
７３        推奨楽曲情報
８３        端末側オリジナル楽曲データベース（端末側オリジナル楽曲ＤＢ）
【図１】
0006525841.tif 000002
【図２】
0006525841.tif 000003
【図３】
0006525841.tif 000004
【図４】
0006525841.tif 000005
【図５】
0006525841.tif 000006
【図６】
0006525841.tif 000007
【図７】
0006525841.tif 000008